(57)【要約】【課題】交換レンズの種類、ズームスイッチの有無及び静止画撮影か動画撮影かの動作モードに応じて、適応的にズーム処理を切換えることにより、ユーザの利便性を向上させる。【解決手段】  電動ズームが可能な第１のレンズと、電動ズームが不能な第２のレンズとが着脱自在に装着される撮像装置において、ズーム処理を制御するための第１の操作部と、前記第１のレンズが装着された場合には、前記第１の操作部の操作に基づいて前記第１のレンズのズームレンズを制御する光学ズーム処理を行い、前記第２のレンズが装着された場合には、前記第１の操作部の操作に基づいて撮像画像の切出し範囲を変化させる電子ズーム制御を行う制御部と、を具備したことを特徴とする。【選択図】図１
2011171832.tif 000002
【特許請求の範囲】
【請求項１】
電動ズームが可能な第１のレンズと、電動ズームが不能な第２のレンズとが着脱自在に装着される撮像装置において、
ズーム処理を制御するための第１の操作部と、
前記第１のレンズが装着された場合には、前記第１の操作部の操作に基づいて前記第１のレンズのズームレンズを制御する光学ズーム処理を行い、前記第２のレンズが装着された場合には、前記第１の操作部の操作に基づいて撮像画像の切出し範囲を変化させる電子ズーム制御を行う制御部と、
を具備したことを特徴とする撮像装置。
【請求項２】
前記第１のレンズは、前記ズームレンズを制御するための第２の操作部を具備し、
前記制御部は、前記第１のレンズが装着された場合には、前記第２の操作部の操作に基づいて前記第１のレンズのズームレンズを制御する光学ズーム処理を行い、前記第１の操作部の操作に基づいて撮像画像の切出し範囲を変化させる電子ズーム制御を行う
ことを特徴とする請求項１に記載の撮像装置。
【請求項３】
前記第２の操作部は、前記ズームレンズによるズーム制御が限界に到達したことを示す操作限界信号を出力可能に構成され、
前記制御部は、前記操作限界信号が与えられると、前記撮像画像の切出し範囲を変化させる電子ズーム制御を行う
ことを特徴とする請求項２に記載の撮像装置。
【請求項４】
前記制御部は、前記光学ズーム処理又は前記電子ズーム処理のいずれの処理中であるかを示す表示を行う
ことを特徴とする請求項１乃至３のいずれか１つに記載の撮像装置。
【請求項５】
ズームレンズを制御するための第２の操作部を有して電動ズームが可能な第１のレンズが着脱自在に装着される撮像装置において、
ズーム処理を制御するための第１の操作部と、
動画撮影中でない場合において、前記第２の操作部の操作に基づいて前記ズームレンズを制御する光学ズーム処理を行い、前記第１の操作部の操作に基づいて撮像画像の切出し範囲を変化させる電子ズーム制御を行い、動画撮影中の場合において、前記第２の操作部の操作を無視し、前記第１の操作部の操作に基づいて前記ズームレンズを制御する光学ズーム処理を行う制御部と、
を具備したことを特徴とする撮像装置。
【請求項６】
前記制御部は、動画撮影中の場合において、前記第２の操作部が操作されたときには、前記第２の操作部の操作は無効であることを示す警告表示を行う
ことを特徴とする請求項５に記載の撮像装置。
【請求項７】
ピントレンズを制御するためのピント操作部を有する単焦点レンズが着脱自在に装着される撮像装置において、
ズーム処理を制御するための第１の操作部と、
動画撮影中でない場合において、前記第１の操作部の操作に基づいて撮像画像の切出し範囲を変化させる電子ズーム制御を行い、前記ピント操作部の操作に基づいて前記ピントレンズを制御する合焦制御を行い、動画撮影中の場合において、前記第１の操作部及び前記ピント操作部の操作に基づいて撮像画像の切出し範囲を変化させる電子ズーム制御を行う制御部と、
を具備したことを特徴とする撮像装置。
【発明の詳細な説明】
【技術分野】
【０００１】
本発明は、複数の交換レンズを選択的に着脱して、様々な撮影を最適なレンズで楽しめる撮影装置に関する。
【背景技術】
【０００２】
近年、デジタルカメラなどの撮影機器は、電子制御を駆使して、様々な苦手撮影シーンを克服し、静止画のみならず、動画の撮影までを可能としている。
【０００３】
更にデジタル一眼レフカメラの分野では、交換レンズやアクセサリーをシステム的に着脱、または拡張自在に構成して、種々のシーンに対応している。
【０００４】
例えば、特許文献１では、カメラヘッドからカメラ本体にヘッド情報を送信し、カメラ本体において処理変数などを書き換える技術が開示されている。特許文献１の発明において、単焦点レンズを備えるカメラヘッドが装着されると、カメラ本体に備えられた十字キーによるズーミング操作によって、電子ズームが行われるようになっている。
【先行技術文献】
【特許文献】
【０００５】
【特許文献１】特開２００５−３１１７８３号公報
【発明の概要】
【発明が解決しようとする課題】
【０００６】
しかしながら、特許文献１の発明は、限られた操作部材の流用、共用に関する改良であって、利用シーンに応じて、ユーザの利便性を十分に向上させることができるものではない。
【０００７】
本発明は、交換レンズの種類、ズームスイッチの有無、静止画撮影か動画撮影かの動作モード等に応じて、適応的にズーム処理を切換えることにより、ユーザの利便性を向上させることができる撮像装置を提供することを目的とする。
【課題を解決するための手段】
【０００８】
本発明の撮像装置は、電動ズームが可能な第１のレンズと、電動ズームが不能な第２のレンズとが着脱自在に装着される撮像装置において、ズーム処理を制御するための第１の操作部と、前記第１のレンズが装着された場合には、前記第１の操作部の操作に基づいて前記第１のレンズのズームレンズを制御する光学ズーム処理を行い、前記第２のレンズが装着された場合には、前記第１の操作部の操作に基づいて撮像画像の切出し範囲を変化させる電子ズーム制御を行う制御部と、を具備したことを特徴とし、
また、本発明の他の撮像装置は、ズームレンズを制御するための第２の操作部を有して電動ズームが可能な第１のレンズが着脱自在に装着される撮像装置において、ズーム処理を制御するための第１の操作部と、動画撮影中でない場合において、前記第２の操作部の操作に基づいて前記ズームレンズを制御する光学ズーム処理を行い、前記第１の操作部の操作に基づいて撮像画像の切出し範囲を変化させる電子ズーム制御を行い、動画撮影中の場合において、前記第２の操作部の操作を無視し、前記第１の操作部の操作に基づいて前記ズームレンズを制御する光学ズーム処理を行う制御部と、を具備したことを特徴とし、
また、本発明の他の撮像装置は、ピントレンズを制御するためのピント操作部を有する単焦点レンズが着脱自在に装着される撮像装置において、ズーム処理を制御するための第１の操作部と、動画撮影中でない場合において、前記第１の操作部の操作に基づいて撮像画像の切出し範囲を変化させる電子ズーム制御を行い、前記ピント操作部の操作に基づいて前記ピントレンズを制御する合焦制御を行い、動画撮影中の場合において、前記第１の操作部及び前記ピント操作部の操作に基づいて撮像画像の切出し範囲を変化させる電子ズーム制御を行う制御部と、を具備したことを特徴とする。
【発明の効果】
【０００９】
本発明によれば、交換レンズの種類、ズームスイッチの有無、静止画撮影か動画撮影かの動作モード等に応じて、適応的にズーム処理を切換えることにより、ユーザの利便性を向上させることができるという利点を有する。
【図面の簡単な説明】
【００１０】
【図１】本発明の第１の実施の形態に係る撮像装置の回路構成を示すブロック図。
【図２】図１の撮像装置１０の外観及び撮像装置１０に取り付けられる交換レンズを示す説明図。
【図３】図２中の交換レンズ２０ａ’，２０ｂ，２０ｃの回路構成を示すブロック図。
【図４】カメラ制御を示すフローチャート。
【図５】本体表示部１９における表示例を示す説明図。
【図６】本発明の第２の実施の形態を示す説明図。
【図７】本発明の第３の実施の形態を示すブロック図。
【図８】接眼式の電子ファインダの一例を示す説明図。
【図９】電子ファインダ６４をアクセサリーシュー６１に取り付けた状態において、ユーザが撮像装置本体２を水平に把持して静止画撮影を行う状態を示す説明図。
【図１０】動画撮影時の状態を示す説明図。
【図１１】第３の実施の形態の動作を説明するためのフローチャートである。
【図１２】本発明の第４の実施の形態を示すフローチャート。
【図１３】ズーム操作を認識する部材を説明するための図表である。
【発明を実施するための形態】
【００１１】
以下、図面を参照して本発明の実施の形態について詳細に説明する。
【００１２】
（第１の実施の形態）
図１は本発明の第１の実施の形態に係る撮像装置の回路構成を示すブロック図である。図２は図１の撮像装置１０の外観及び撮像装置１０に取り付けられる交換レンズを示す説明図である。また、図３は図２中の交換レンズ２０ａ’，２０ｂ，２０ｃの回路構成を示すブロック図である。
【００１３】
図２において、撮像装置１は、撮像装置本体２の前面にレンズマウント３を有して交換レンズ２０ａ，２０ａ’，２０ｂ，２０ｃ（以下、代表して交換レンズ２０という）等を取り付け可能である。また、撮像装置本体２の背面上部には、ズームスイッチ４が配設されている。
【００１４】
（回路構成）
撮像装置１の撮像装置本体２には本体回路部１０が内蔵されている。図１に示すように、本体回路部１０には、通信部１２，１３が設けられている。一方、本実施の形態において採用する交換レンズ２０ａ，２０ａ’〜２０ｃには交換レンズ回路部２１ａ，２１ａ’〜２１ｃ（図３参照）（以下、代表して交換レンズ回路部２１）が内蔵されている。交換レンズ回路部２１にも通信部２３が設けられている。本体回路部１０の通信部１２は、交換レンズ回路部２１の通信部２３との間で、相互に情報を送受することができるようになっている。
【００１５】
交換レンズ２０ａは、ズームレンズによって構成されたレンズ部２６ａを有し、レンズ部２６ａは駆動部２５ａに駆動されて、ズーム機能を有する。即ち、交換レンズ２０ａは、電動ズーム機能を有する。なお、レンズ部２６ａは、駆動部２５ａに駆動されることで合焦を可能にするオートフォーカス機能も備えている。
【００１６】
交換レンズ２０ａ’は、ズームリングの手動操作に基づいてモータを駆動することで電動ズーム機能（以下、手動操作による電動ズーム機能ともいう）を達成する交換レンズである。交換レンズ２０ａ’においては、交換レンズに設けられたズームリング２７’の操作に応じてモータを駆動し、このモータの回転力によってレンズ部２６ａ’を駆動することで、電気的にズーム機能を達成するようになっている。なお、レンズ部２６ａ’は、駆動部２５ａ’に駆動されることで合焦を可能にするオートフォーカス機能も備えている。
【００１７】
また、本実施の形態においては、手動操作による電動ズーム機能を得る交換レンズとして、ズームスイッチが取り付けられた交換レンズを採用することもでき、このような交換レンズについても交換レンズ２０ａ’として説明する。
【００１８】
交換レンズ２０ｂは、ズームレンズによって構成されたレンズ部２６ｂを有している。レンズ部２６ｂはズームリング２７の手動操作によってズームが行われる。即ち、交換レンズ２０ｂは、手動ズーム機能を有する。なお、レンズ部２６ｂは、駆動部２５ｂに駆動されることで合焦を可能にするオートフォーカス機能も備えている。
【００１９】
交換レンズ２０ｃは、単焦点のレンズ部２６ｃを有している。即ち、交換レンズ２０ｃは、ズーム機能を有していない。なお、レンズ部２６ｃは、駆動部２５ｃに駆動されることで合焦を可能にするオートフォーカス機能を備えている。
【００２０】
交換レンズ回路部２１のレンズ制御部２２は、レンズ情報を記憶するレンズ情報記憶部２４を有している。レンズ情報としては、レンズ部がズームレンズであるか単焦点レンズであるかの情報やズーム機能が手動、電動又は手動操作による電動のいずれであるかを示す情報や光学系の情報等を含む。
【００２１】
レンズ制御部２２は、本体回路部１０に制御されて、駆動部２５ａ，２５ａ’〜２５ｃ（以下、代表して駆動部２５という）を制御して、レンズ部２６ａ，２６ａ’〜２６ｃ（以下、代表してレンズ部２６という）を駆動し、レンズ部２６における絞り、ピント、ズーム等を制御することができるようになっている。
【００２２】
レンズ制御部２２の通信部２３は、所定の伝送路を介して本体回路部１０の通信部１２との間で情報の送受を行う。レンズ制御部２２は、本体回路部１０の通信部１２との間の通信が確立すると、レンズ情報記憶部２４から読み出したレンズ情報を通信部２３によって本体回路部１０に送信させることができる。これにより、本体回路部１０は、交換レンズ２０がどのようなズーム機能を有しているか、ズームレンズの倍率、焦点距離、明るさナンバー等を認識することができる。
【００２３】
なお、本実施の形態においては種々の交換レンズを採用することができる。本実施の形態において採用可能な交換レンズは、交換レンズ回路部２１と同様に、レンズ情報記憶部、通信部を備えたレンズ制御部及び駆動部等の回路構成を有して、本体回路部１０との間で情報の授受を行うと共に、本体回路部１０によって制御可能に構成されている。
【００２４】
なお、本体回路部１０には、通信部１３も設けられている。通信部１３は、例えば、電子ファインダ等との間で情報の授受を行うことができるようになっている。
【００２５】
本体回路部１０は、ＣＣＤやＣＭＯＳセンサ等の撮像素子によって構成された撮像部１４を有している。交換レンズ２０からの被写体の光学像は、撮像部１４を構成する撮像素子の撮像面に結像するようになっている。この撮像部１４は、信号処理及び制御部１１によって駆動制御される。信号処理及び制御部１１は、撮像部１４を構成する撮像素子の撮像面の情報を有している。信号処理及び制御部１１は、撮像面の情報及びレンズ情報に基づいて、撮像部１４に撮像素子の駆動信号を出力すると共に、撮像素子が光学像を光電変換して得た画像信号を取り込む。また、本体回路部１０には、音声収録部１５が設けられており、撮像装置１の外部の音を収音して音声信号を信号処理及び制御部１１に出力するようになっている。
【００２６】
信号処理及び制御部１１は、撮像素子の光電変換によって得られた画像信号に対して、所定の信号処理、例えば、色信号生成処理、マトリックス変換処理、その他各種のデジタル処理を行う。本体回路部１０は、画像信号及び音声信号等の記録に際して、符号化処理を施して圧縮した画像情報及び音声情報等を出力することもできるようになっている。
【００２７】
また、本体回路部１０には、時計部１７、操作判定部１８も配設されている。時計部１７は信号処理及び制御部１１が用いる時間情報を発生する。操作判定部１８は、撮像装置１に設けられた図示しないレリーズスイッチや撮影モード設定等の各種スイッチに対するユーザ操作に基づく操作信号を発生して、信号処理及び制御部１１に出力するようになっている。信号処理及び制御部１１は、操作信号に基づいて、各部を制御する。
【００２８】
例えば、操作判定部１８は、撮像装置本体２に設けられたズームスイッチ４のズーム操作に基づく操作信号を発生することができ、信号処理及び制御部１１は、ズームスイッチ４のズーム操作に基づいて、ズーム処理を行うことができるようになっている。
【００２９】
本実施の形態においては、信号処理及び制御部１１は、交換レンズ２０からのレンズ情報に基づいて、ズーム処理を切換えるようになっている。即ち、交換レンズ２０として電動ズーム機能を有する交換レンズ２０ａが装着されている場合には、信号処理及び制御部１１は、ズームスイッチ４のズーム操作に基づいて、交換レンズ２０ａのレンズ部２６ａを駆動してズーム動作を実行させる。即ち、信号処理及び制御部１１は、操作判定部１８からの操作信号に基づくズーム信号を発生し、通信部１２を介して交換レンズ回路部２１ａのレンズ制御部２２に送信する。レンズ制御部２２は、駆動部２５ａを制御して、ズーム信号に応じてレンズ部２６ａの図示しないズーム機構部を駆動することでズーム動作を行う。
【００３０】
交換レンズとして、ズームリングの操作に応じてモータを駆動して電動ズーム機能を実現する交換レンズ２１ａ’が装着されることもある。このような交換レンズ２１ａ’においても、ズームリング２７’の操作に基づく操作信号は、交換レンズ回路部２１ａ’の通信部２３から通信部１２を介して信号処理及び制御部１１に供給される。
【００３１】
従って、交換レンズ２０ａ’が装着された場合には、信号処理及び制御部１１には、撮像装置本体２に設けられたズームスイッチ４のズーム操作に基づく操作信号と、交換レンズ２０ａ’のズームリング２７’の操作に基づく操作信号とが入力されることになる。
【００３２】
信号処理及び制御部１１は、これらの操作信号の一方を選択的に用い、或いは両方の操作信号を用いてズーム処理を行う。信号処理及び制御部１１は、ズームスイッチ４及びズームリング２７’の少なくとも一方の操作に基づく操作信号に応じてズーム信号を発生し、通信部１２を介して交換レンズ回路部２１ａ’のレンズ制御部２２に送信する。レンズ制御部２２は、駆動部２５ａ’を制御して、ズーム信号に応じてレンズ部２６ａ’のズーム機構部を駆動することでズーム動作を行う。
【００３３】
また、交換レンズとして、手動ズーム機能を有する交換レンズ２０ｂが装着されることもある。この場合には、ズーム処理は、ズームリング２７に対する手動操作によって行われる。更に、この場合でも、撮像装置本体２に設けられたズームスイッチ４が操作されることが考えられる。信号処理及び制御部１１は、ズームスイッチ４のズーム操作が行われた場合には、撮像部１４における撮像範囲中の一部の画像領域を取り出して出力するズーム処理、所謂電子ズーム処理を行う。
【００３４】
信号処理及び制御部１１の範囲制御部１１ａは、ズームスイッチ４によるズーム操作に基づいて撮像範囲中のいずれの画像領域の画像を取り出すかを決定する。従って、この場合には、ズームリング２７による光学ズームとズームスイッチ４による電子ズームとの両方のズーム処理が行われることになる。
【００３５】
また、交換レンズとして、単焦点レンズを有する交換レンズ２０ｃが装着されることもある。この場合には、信号処理及び制御部１１は、ズームスイッチ４のズーム操作に基づいて、撮像部１４における撮像範囲中の一部の画像領域を取り出して出力する電子ズーム処理を行う。
【００３６】
また、交換レンズとして交換レンズ２０ａ’が装着される場合において、ズームリング２７’によるズーム操作の限界点に到達したことを、ズームリング操作によって検知し、操作限界信号を発生する交換レンズ２０ａ’が採用されることも考えられる。このような操作限界信号が通信部１２を介して信号処理及び制御部１１に入力されると、信号処理及び制御部１１は、ズーム処理を光学ズームから電子ズームに切換えることもできる。即ち、ズームリング２７’よるズーム操作が限界点に維持されている期間、電子ズーム処理が行われる。
【００３７】
なお、手動ズーム機能を有する交換レンズ２０ｂに、このような操作限界信号を発生させるセンサを内蔵させることによって、交換レンズ２０ｂにおいても、ズームリングの操作のみによって光学ズームから電子ズームへの切換えが可能である。
【００３８】
また、本体回路部１０には、記録再生部１６及び本体表示部１９が設けられている。記録再生部１６は、信号処理及び制御部１１からの画像情報及び音声情報を図示しない記録媒体に記録することができるようになっている。なお、記録再生部１６としては例えばカードインターフェースを採用することができ、記録再生部１６はメモリカード等に画像情報及び音声情報等を記録可能である。また、記録再生部１６は、記録媒体に記録された画像情報及び音声情報を読み出して信号処理及び制御部１１に供給することができる。信号処理及び制御部１１は、記録再生部１６からの画像情報及び音声情報を復号化して、画像信号及び音声信号を得ることができるようになっている。
【００３９】
本体表示部１９は、撮像部１４からの撮像画像や記録再生部１６からの再生画像が信号処理及び制御部１１から供給されて、これらの画像表示を行うことができる。また、本体表示部１９は信号処理及び制御部１１に制御されて、撮像装置１の操作を行うためのメニュー表示等を表示することもできるようになっている。例えば、本体表示部１９は、信号処理及び制御部１１に制御されて、ズーム処理に関する表示を表示することもできるようになっている。
【００４０】
次に、このように構成された実施の形態の作用について図４及び図５を参照して説明する。図４はカメラ制御を示すフローチャートであり、図５は本体表示部１９における表示例を示す説明図である。
【００４１】
撮像装置１の電源がオンの場合には、図４のステップＳ１から処理がステップＳ２に移行して、信号処理及び制御部１１は撮影モードが指示されたか否かを判定する。撮影モードが指示されていない場合には、信号処理及び制御部１１は、ステップＳ３において、再生モードが指示されたか否かを判定する。再生モードが指示されると、信号処理及び制御部１１は、ステップＳ４において、撮影画像の再生を行う。
【００４２】
一方、撮影モードが指示されると、信号処理及び制御部１１は、ステップＳ５において、撮像部１４からの画像信号に基づいて、本体表示部１９に撮像画像（スルー画）を表示させる。
【００４３】
ステップＳ６〜Ｓ１５は、ズーム処理に関するものである。ズーム操作が行われない場合には、処理はステップＳ６，Ｓ７を介してステップＳ１６に移行して、信号処理及び制御部１１は静画撮影操作が行われたか否かを判断する。静止画撮影操作が行われた場合には、信号処理及び制御部１１は、ステップＳ１７において、撮影・記録を行う。
【００４４】
即ち、信号処理及び制御部１１は、撮像部１４からの画像信号に所定の信号処理を施した後、符号化処理を行って画像情報を記録再生部１６から記録媒体に転送する。こうして、記録再生部１６に転送した画像情報がファイル化される。
【００４５】
ステップＳ６においては、信号処理及び制御部１１によって、ズームリング２７，２７’のズーム操作に基づく操作限界信号が発生したか否かが判定される。なお、操作限界信号を出力しない交換レンズが装着された場合には、このステップは省略される。操作限界信号が発生していない場合には、次のステップＳ７において、信号処理及び制御部１１は、ズーム操作が行われたか否かを判定する。ズーム操作が行われた場合には、信号処理及び制御部１１は、電動ズームが装着されているか否かを判定する（ステップＳ８）。
【００４６】
装着した交換レンズが電動ズーム機能を有している場合には、信号処理及び制御部１１は、次のステップＳ９において、光学ズーム不可であるか否かを判定する。信号処理及び制御部１１は、動作モードによっては、光学ズーム処理が可能であっても光学ズーム処理を行わないことがある。例えば、動画撮影時には、滑らかなズーム位置の移動や、機構音のしない静音化制御が必要であり、モータの回転による電動ズーム処理ではこれらの要件を満たさないことがある。さらに、撮像装置において撮像した動画像は、テレビジョン受像機等によって視聴することが一般的である。デジタルカメラの解像度は一般的なテレビジョン受像機の解像度に比べて十分に高いので、動画時において解像度が低下する電子ズームを採用しても、視聴時に画質の劣化が気になることはあまりない。そこで、このような動画撮影の場合、あるいは、光学ズームの限界に達したものと判定した場合に、信号処理及び制御部１１は、ステップＳ９において光学ズーム不可と判定する。
【００４７】
信号処理及び制御部１１は、光学ズーム不可でないと判定した場合には、本体表示部１９を制御して、ステップＳ１０において「光学ズーム中」という表示を行う。
【００４８】
図５（ａ）はこの場合の表示例を示している。図５（ａ）に示すように、撮像装置本体２の背面には、本体表示部１９を構成する表示部３１が設けられている。表示部３１には、スルー画が表示されている（図示省略）。本体表示部１９はスルー画中に「光学ズーム中」という表示３１ａをオンスクリーン表示する。
【００４９】
この表示によって、ユーザは、自身が行ったズームスイッチ４の操作又はズームリング２７’の操作等によって、光学ズームが行われることを確認することができる。
【００５０】
信号処理及び制御部１１は、次のステップＳ１１において、ズーム操作に応じたズーム信号を通信部１２を介して交換レンズ２０ａ，２０ａ’等に送信する。これにより、光学ズームが行われる。なお、ズーム処理によるスルー画は本体表示部１９に表示される。
【００５１】
ここで、交換レンズとして電動ズーム機能を有していない交換レンズが装着されている場合、電動ズーム機能を有していても光学ズーム不可の動作モードの場合、或いは光学ズームの操作限界信号が発生している場合であるものとする。これらの場合には、処理はステップＳ１２に移行する。信号処理及び制御部１１は、ステップＳ１２において電子ズームが可能であるか否かを判定する。既に限界まで電子ズームが行われている場合には、信号処理及び制御部１１はステップＳ１５において警告表示を本体表示部１６の表示部３１上に表示させる。
【００５２】
電子ズームが可能である場合には、信号処理及び制御部１１は本体表示部１９を制御して、ステップＳ１３において「電子ズーム中」という表示を行う。
【００５３】
図５（ｂ）はこの場合の表示例を示している。図５（ｂ）に示すように、表示部３１のスルー画（図示省略）上には、「電子ズーム中」という表示３１ｂがオンスクリーン表示されている。この表示によって、ユーザは、自身が行ったズームスイッチ４の操作又はズームリング２７’の操作等によって、電子ズームが行われることを確認することができる。
【００５４】
信号処理及び制御部１１は、次のステップＳ１４において、ズーム操作に応じて、撮像部１４からの撮像画像のうちのズーム操作に基づく範囲の画像のみを取り出して、本体表時部１９に出力する。これにより、電子ズームが行われる。
【００５５】
ステップＳ１２〜Ｓ１５の処理は、電動ズーム機能を有する交換レンズ２０ａ，２０ｃが装着された場合だけでなく、電動ズーム機能を有していない交換レンズ２０ｂ，２０ｃが装着された場合でも実施される。このように、本実施の形態においては、電動ズーム機能を有していない交換レンズ２０ｂ，２０ｃ等を装着した場合でも、ズームスイッチ４の操作によって電子ズームを行うことができる。
【００５６】
しかし、電子ズームを行った場合には、撮像範囲の一部の画像を取り出すので、撮像画像の画素数が低下してしまう。そこで、信号処理及び制御部１１は、手動ズーム機能を有する交換レンズ２０ｂが装着されている場合において電子ズームを行う場合には、図５（ｂ）に示すように、光学ズームはズームリングによる操作で行われることを告知する「光学ズームはレンズ操作」という表示３１ｃを表示する。
【００５７】
なお、ズームスイッチ４の操作によっても、光学ズームの限界に達したことを示す操作限界信号を発生させて、ズームスイッチ４の操作によって光学ズームから電子ズームに移行させるようにしてもよい。
【００５８】
このように本実施の形態においては、撮像装置本体にズームスイッチを有する撮像装置において、装着される交換レンズの種別を判定してズーム処理を切換えており、電動ズーム機能を有していない交換レンズを装着した場合でも、ズームスイッチによるズーム操作によって電子ズームを行うことで、ズーム機能を達成することが可能である。
【００５９】
例えば、ズームスイッチを備えている場合には、ズームリングを有する交換レンズが装着された場合でも、ズームスイッチを操作してしまうことが考えられる。この場合においても、本実施の形態においてはズームスイッチの操作で電子ズームが可能であり、操作性に優れた撮像装置を提供することができる。
【００６０】
また、本実施の形態においては、ズームスイッチによる操作によって電動ズーム処理が行われたか電子ズーム処理が行われたかを示す表示を表示させていることから、ユーザの利便性に優れている。
【００６１】
（第２の実施の形態）
図６は本発明の第２の実施の形態を示す説明図である。図６において図２と同一の構成要素には同一符号を付して説明を省略する。
【００６２】
本実施の形態における撮像装置４０は、ズームスイッチを有していない点が第１の実施の形態における撮像装置１と異なるのみである。本実施の形態における回路構成は図１と同様である。
【００６３】
このように構成された実施の形態においても、第１の実施の形態と同様に、交換レンズ２０ａ，２０ａ’〜２０ｃ等の種々の交換レンズを装着可能である。本実施の形態においては、信号処理及び制御部１１は、ズーム機能を制御するためのズームリングやズームスイッチ等が設けられていない交換レンズ２０ａ，２０ｃが装着された場合には、撮像装置本体２に設けられた各種操作部材をズーム操作の操作部として利用して、ズーム処理を制御するようになっている。
【００６４】
例えば、信号処理及び制御部１１は、撮影モード時において、操作判定部１８から、メニューキー等の操作に基づく操作信号が入力されると、この操作信号に応じてズーム処理を行う。例えば、交換レンズ２０ａが装着されている場合には、信号処理及び制御部１１は第１の実施の形態と同様に動作し、撮像装置本体のメニューキー等の操作に応じて光学ズーム処理又は電子ズーム処理を行う。
【００６５】
また、交換レンズ２０ｂ，２０ｃが装着されている場合には、信号処理及び制御部１１は第１の実施の形態と同様に動作し、撮像装置本体のメニューキー等の操作に応じて電子ズーム処理を行う。
【００６６】
なお、ズーム機能を制御するためのズームリングやズームスイッチ等を備えた交換レンズ２０ａ’が装着された場合には、信号処理及び制御部１１は、第１の実施の形態と同様に動作し、ズームリング等に応じて光学ズーム処理又は電子ズーム処理を行う。
【００６７】
このように本実施の形態においては、撮像装置本体にズームスイッチが設けられていない場合でも、交換レンズの種類に応じて、光学ズーム又は電子ズームが可能である。
【００６８】
（第３の実施の形態）
図７は本発明の第３の実施の形態を示すブロック図である。図７において図１と同一の構成要素には同一符号を付して説明を省略する。
【００６９】
本実施の形態は静止画処理部５１ｂ及び動画処理部５１ｃを備えた信号処理及び制御部５１を有する本体回路部５０を採用した点が第１の実施の形態と異なるのみである。
【００７０】
静止画処理部５１ｂは、撮像部１４からの撮像画像を静止画として画像圧縮処理する。また、動画処理部５１ｃは、撮像部１４からの撮像画像をコマ間圧縮して動画像として処理する。
【００７１】
本実施の形態における信号処理及び制御部５１は、図１の信号処理及び制御部１１と同様の構成であり、静止画と動画時とにおいて異なるズーム処理を行う点を除いて、信号処理及び制御部１１と同様の作用を呈する。
【００７２】
ところで、静止画撮影時には、被写体に対して確実なフレーミングを可能にするために、接眼式の電子ファインダを用いた方がよい。このような接眼式の電子ファインダを用いることによって、色再現性や露出補正の確認が容易となる。
【００７３】
図８はこのような接眼式の電子ファインダの一例を示す説明図である。
【００７４】
撮像装置本体２の前面のレンズマウント３には交換レンズ２０ａ’が取り付けられている。撮像装置本体２の上端にはアクセサリーシュー６１が設けられている。電子ファインダ６４は、アクセサリーシュー６１に着脱自在に取り付けるための取付部６３を有する。
【００７５】
アクセサリーシュー６１には、本体回路部１０の通信部１３を構成する接点部６２が設けられており、電子ファインダ６４の取付部６３をアクセサリーシュー６１に取り付けることにより、接点部６２は取付部６３に設けた図示しない接点部と電気的に接続されるようになっている。電子ファインダ６４には、本体回路部１０の通信部１３を介して映像信号等が供給されて表示を行う表示部６５が設けられている。
【００７６】
図９は電子ファインダ６４をアクセサリーシュー６１に取り付けた状態において、ユーザが撮像装置本体２を水平に把持して静止画撮影を行う状態を示す説明図である。図９（ａ）は撮像装置本体２を水平に構えた横構図撮影の例を示している。このような静止画撮影時には、電子ファインダ６４の表示部６５の表示を見ながら撮影を行うことにより、正確なフレーミングが可能となる。
【００７７】
静止画撮影を行う場合の構え方としては、図９に示す方法が一般的である。即ち、ユーザは左手７１Ｌの親指と他の指とで交換レンズ２０ａ’を軽くホールドした状態で左手上に撮像装置本体２を載置し、右手７１Ｒの親指と他の指とで撮像装置本体２の側部をホールドする。この状態で目７１Ｉを電子ファインダ６４の表示部６５に近づける。このような姿勢によって、撮像装置本体２を確実にホールドし、かつ安定した撮影を可能にすることができる。
【００７８】
図１０は動画撮影時の状態を示す説明図である。動画撮影時には、図１０（ａ）に示すように、ユーザは視線７４に示すようにファインダ６５に表示されたスルー画を目７１Ｉによって確認すると同時に、被写体を目にて直視した方が撮影上有利である。これにより、動きのある画像であっても、確実に撮影することを可能にすることができる。即ち、この場合には、ユーザは、撮影に際して、撮像装置本体２の背面に設けられた本体表示部１９の表示部３１を観察することになる。
【００７９】
従って、動画撮影時には、ユーザは撮像装置本体２を体から少し離した位置に構えるために、左手７１Ｌの親指と他の指とで撮像装置本体２の底部側の側部を挟みながら把持し、右手７１Ｒの親指と他の指とで撮像装置本体２の側部をホールドする。
【００８０】
図９の構え方では、ユーザはズームリング２７’を用いてズーム操作した方が自然である。逆に、図１０の構え方では、ユーザは撮像装置本体２の背面に設けられたズームスイッチ４を用いてズーム操作した方が自然である。特に、動画撮影時には、ズームスイッチ４を用いてズーム操作を行った方が、ズームリング２７’を用いてズーム操作するよりも、安定性に優れている。
【００８１】
信号処理及び制御部５１は、このような静止画撮影時と動画撮影時の撮影フォームの相違に応じてズーム処理を切換えるようになっている。
【００８２】
次に、このように構成された実施の形態の動作について図１１のフローチャートを参照して説明する。図１１において図４と同一の手順には同一符号を付して説明を省略する。図１１は交換レンズとして交換レンズ２０ａ’が装着された場合の動作を示している。
【００８３】
撮影モード時にはステップＳ５においてスルー画が表示される。このスルー画は、電子ファインダ６４の表示部６５や、本体表示部２の表示部３１に表示される。次に、信号処理及び制御部５１は、ステップＳ２１において動画撮影であるか否かを判定する。動画撮影においては、信号処理及び制御部５１は、ステップＳ２２において動画撮影が終了したか否かを判定し、終了していない場合には、動画処理部５１ｃにおいて動画圧縮を行う。動画撮影が終了すると、動画処理部５１ｃはステップＳ２４において圧縮した動画の記録を行う。
【００８４】
信号処理及び制御部５１は、ステップＳ２５において、動画撮影中であるか、静止画撮影前の状態であるかを判定する。動画撮影中の場合には、信号処理及び制御部５１は、ズームリング操作が行われたか否かを判定する。
【００８５】
本実施の形態においては、動画撮影中においては、ズーム処理は撮像装置本体２に設けられたズームスイッチ４によって制御する。従って、ズームリング２７’が操作された場合には、信号処理及び制御部５１は、ステップＳ２７において警告表示を行い、ズームリング操作を無視する。
【００８６】
図１０（ｂ）はこの警告表示の一例を示している。信号処理及び制御部５１は、表示部３１において、ズームリング２７’の操作は無効であり、ズームスイッチの操作を促す「無効：動画中はズームＳＷを利用してください」という表示７３を表示させる。
【００８７】
信号処理及び制御部５１は、次のステップＳ２８においてズームスイッチ４が操作されたことを検出すると、この操作信号に基づいてズーム信号を発生し、ズームスイッチ４のズーム操作に基づく光学ズームを行う（ステップＳ１１）。
【００８８】
一方、動画撮影中でない場合には、信号処理及び制御部５１は、処理をステップＳ２５からステップＳ３０に移行する。信号処理部及び制御部５１は、ステップＳ３０においてズームスイッチ４の操作が行われたか否かを判定し、ステップＳ３１においてズームリング２７’の操作が行われたか否かを判定する。
【００８９】
即ち、静止画撮影時においては、ズームリング２７’の操作に基づく光学ズーム及びズームスイッチ４の操作に基づく電子ズームのいずれも可能である。ズームスイッチ４が操作された場合には、ステップＳ１２〜Ｓ１４において、ズームスイッチ４の操作に基づく電子ズームが行われる。
【００９０】
また、この場合には、信号処理及び制御部５１は、図９（ｂ）に示すように、表示部３１及び表示部６５において、ズームスイッチ４の操作によって電子ズームが行われていることを示す「電子ズーム中」という表示、及び光学ズームはズームリング２７’の操作によって行うことを示す「注；光学ズームはレンズ操作で」という表示７２を表示させる。
【００９１】
一方、ズームリング２７’が操作された場合には、ステップＳ３２において、ズームリング２７’の操作に基づく光学ズームが行われる。なお、光学ズームのズーム限界に到達している場合には、処理をステップＳ３３からステップＳ１５に移行して限界の警告表示を行う。
【００９２】
このように本実施の形態においては、動画撮影中と静止画撮影中とでズーム処理を切換えており、動画撮影時にズームリングによるズーム処理を禁止することによって、ズーム操作によって撮影の安定性が損なわれることを防止することができる。
【００９３】
（第４の実施の形態）
図１２は本発明の第４の実施の形態を示すフローチャートである。図１２において図１１と同一の手順には同一符号を付して説明を省略する。
【００９４】
本実施の形態の回路構成は第３の実施の形態と同様である。本実施の形態においては単焦点レンズを有する交換レンズ２０ｃが装着された場合の動作が第２の実施の形態と異なるのみである。
【００９５】
動画撮影時においては、ピント操作途中の状態、即ち、非合焦の状態であっても、撮像画像についての記録が行われてしまう。本実施の形態においては、動画撮影時において手動によるピント操作による合焦動作を禁止して、オートフォーカスのみを可能にさせることにより、非合焦状態で撮像画像が記録されてしまうことを防止する。更に、本実施の形態においては、動画撮影時においてはピントリング操作によってズーム処理を行うことを可能にしたものである。
【００９６】
信号処理及び制御部５１は、ステップＳ２５において動画撮影中であるものと判定した場合には、次のステップＳ４１においてピントリングが操作されたか否かを判定し、ステップＳ４２において撮像装置本体２のズームスイッチ４が操作されたか否かを判定する。信号処理及び制御部５１は、これらのいずれの操作であっても、動画撮影中においては、これらの操作に基づいて電子ズームを行う（ステップＳ４３）。
【００９７】
一方、動画撮影中でない場合には、信号処理及び制御部５１は、処理をステップＳ２５からステップＳ４４に移行する。信号処理部及び制御部５１は、ステップＳ４４においてズームスイッチ４の操作が行われたか否かを判定し、ステップＳ４５においてピントリング操作が行われたか否かを判定する。信号処理及び制御部５１は、ズームスイッチ４の操作が行われた場合には、処理をステップＳ４３に移行して、電子ズームを行う。信号処理及び制御部５１は、ピントリング操作が行われものと判定した場合には、ステップＳ４６において、ピント操作に応じて合焦動作を行う。
【００９８】
即ち、静止画撮影時においては、ズームスイッチ４の操作に基づく電子ズームが可能であると共に、ピントリングの操作に基づく合焦動作が行われる。一方、動画撮影時には、ズームスイッチ４の操作及びピントリング操作のいずれの場合にも、電子ズームが行われる。なお、動画撮影時においてもオートフォーカスは行われる（図示省略）。
【００９９】
このように本実施の形態においては、動画撮影中において手動でのピント操作が行われず電子ズームが行われるようになっており、非合焦状態で撮像画像が記録されてしまうことを防止することができる。また、ピント操作によって電子ズームが可能であり、利便性に優れている。
【０１００】
更に、上記説明では、撮像装置本体２にズームスイッチ４が設けられているものとして説明したが、ズームスイッチ４を有していない撮像装置４０（図６参照）に適用することも可能である。この場合には、ステップＳ４２，Ｓ４４の処理は省略可能である。また、この場合には、撮像装置本体２にズームスイッチが設けられていない場合でも、ズーム操作をピントリングによって制御することができるという利点もある。
【０１０１】
また、本発明は上記実施の形態に限定されることなく、種々の変形が可能であり、交換レンズの種類、ズームスイッチの有無及び撮影モード等に応じて、適宜のズーム処理を選択可能である。図１３は上記実施の形態の処理を含み、このようなズーム処理の選択の一例を示す説明である。
【０１０２】
図１３においては、単焦点レンズを有する交換レンズ２０ｃ、手動ズーム機能を有する交換レンズ２０ｂ、電動ズーム機能を有する交換レンズ２０ａ及び手動操作に基づく電動ズーム機能を有する交換レンズ２０ａ’について、ズームスイッチ（ズームＳＷ）の有無に対応させて、静止画撮影時（スチル）と動画撮影時（動画）とにおいて、ズーム操作を認識する部材を示している。
【０１０３】
なお、図１３は一例であり、図１３と異なる制御も可能である。
【符号の説明】
【０１０４】
１…撮像装置、２…撮像装置本体、４…ズームスイッチ、２０ａ，２０ａ’〜２０ｃ…交換レンズ、交換レンズ回路部２１ａ、１０…本体回路部、１１…信号処理及び制御部、範囲制御部…１１ａ、１４…撮像部、１９…本体表示部、２７，２７’…ズームリング。
【図１】
2011171832.tif 000003
【図２】
2011171832.tif 000004
【図３】
2011171832.tif 000005
【図４】
2011171832.tif 000006
【図５】
2011171832.tif 000007
【図６】
2011171832.tif 000008
【図７】
2011171832.tif 000009
【図８】
2011171832.tif 000010
【図９】
2011171832.tif 000011
【図１０】
2011171832.tif 000012
【図１１】
2011171832.tif 000013
【図１２】
2011171832.tif 000014
【図１３】
2011171832.tif 000015